(57)【要約】個人的なケアー物品を下着に取り付けるシステムで、このシステムは、（ａ）上部の表面、底面、底面に設置される衣類取り付け用粘着剤、衣類取り付け用粘着剤を覆う剥離ストリップ、選択して取り外しができる１対のウイング、ウイングが一時的に物品のトップシート側に機械的に取り付けられ、そして物品を下着に保持させるように再構成された相互係合する締結用具、（ｂ）衣類粘着剤を保護する剥離ストリップが除去される時、物品の上面のウイングが重なり、一時的に相互係合し、（ｃ）下着に物品を置き、衣類粘着剤を使用して物品を下着に固定され、及び（ｄ）物品を下着に更に固定するため、下着の周囲にウイングを取り外し更にウイングを再係合させることを含んでいる。
2005500106.tif 000002
【特許請求の範囲】
【請求項１】
上面、底面、前記底面に適用された衣類取り付け用粘着剤、前記衣類取り付け用粘着剤を蓋う剥離ストリップ、及び一対のウイングを有し、前記ウイングが、選択的に解除可能な相互係合する締結用具を有し、前記ウイングは、前記上部シートに一時的に機械的に係合され、次いで下着に物品を保持するように再構成される個人的ケアー物品を準備し、
前記衣類取り付け用粘着剤を保護している前記剥離ストリップが除かれた状態で前記上面のウイングを重ね、一時的に相互係合させ、
下着に前記物品を位置決めし前記衣類取り付け用粘着剤を使用して下着に前記物品を固定し、
前記ウイングの相互係合を解除し、下着の周りに再係合させて下着に前記物品を更にしっかりと固定することを特徴とする、下着に個人的ケアー物品を取り付けるシステム。
【請求項２】
下着の布に係合するように配列された複数の係合部材を含むファスナー部品を更に含むことを特徴とする請求項１に記載のシステム。
【請求項３】
前記相互係合する締結用具は、
複数の係合部材を持った係合部分を含む第一のファスナー部品と、
協働するファスナー部品と、
を含むことを特徴とする請求項１に記載のシステム。
【請求項４】
前記第一のファスナー部品は、機械的なフック材料であることを特徴とする請求項３に記載のシステム。
【請求項５】
前記協働するファスナー部品は、不織のループ材料であることを特徴とする請求項３に記載のシステム。
【請求項６】
前記不織のループ材料は、パターン状の非接着材料であることを特徴とする請求項５に記載のシステム。
【請求項７】
前記システムは、使い捨てに便利な形態の物品を固定するために使うことができることを特徴とする請求項１に記載のシステム。
【請求項８】
一対の端縁と、前記端縁の間に位置させられた第１の縦方向縁及び第２の縦方向縁と、バックシート層と、実質的に液体透過性のトップシート層と、前記トップシート層と前記バックシート層との間に配置された吸収体と、前記バックシート層に適用された衣類取り付け用の粘着剤と、前記衣類取り付け用粘着剤を覆う剥離ストリップとを有する生理用ナプキンであって、
前記生理用ナプキンは、更に、
各々が固定端及び自由端を有する前記生理用ナプキンの第１の縦方向縁から延びる第１のウイング及び前記生理用ナプキンの第２の縦方向縁から延びる第２のウイングと、
前記第１のウイング及び前記第２のウイングの少なくとも一部を構成する第１の締結用具部品と、
前記第１のウイング及び前記第２のウイングの少なくとも一部を構成する対応の締結用具部品と、
を備える締結システムを含み、
前記生理用ナプキンの前記第１及び第２のウイングは、（ａ）該生理用ナプキンの下着への位置決め中に一時的に該生理用ナプキンの前記トップシート側に機械的に係合させられ、その間に、前記衣類取り付け用粘着剤を保護する剥離ストリップが除去され、該生理用ナプキンが該衣類取り付け用粘着剤を利用して下着に取り付けられるようになっており、（ｂ）次いで、前記トップシート側から取り外され、下着のまわりに係合させられて生理用ナプキンが固定されるようになった、
ことを特徴とする生理用ナプキン。
【請求項９】
前記ナプキンは更に、下着の布に係合できる複数の係合部材を含むファスナー部品を含むことを特徴とする請求項８に記載の生理用ナプキン。
【請求項１０】
前記相互係合した締結用具は、
複数の係合部材を持つ係合部分を含む第一のファスナー部品と、
協働するファスナー部品と、
を含むことを特徴とする請求項８に記載の生理用ナプキン。
【請求項１１】
前記第一のファスナー部品は、機械的なフック材料であることを特徴とする請求項１０に記載の生理用ナプキン。
【請求項１２】
前記協働するファスナー部品は、不織のループ材料であることを特徴とする請求項１０に記載の生理用ナプキン。
【請求項１３】
前記不織のループ材料は、パターン状非接着材料であることを特徴とする請求項１２に記載の生理用ナプキン。
【請求項１４】
前記締結システムは、廃棄処分に便利な形態に物品を固定して使用することができることを特徴とする請求項８に記載の生理用ナプキン。
【請求項１５】
上面、下部表面、下部表面に使用される衣類取り付け用粘着剤、衣類取り付け用粘着剤を蓋う剥離ストリップ、選択して取り外し可能で、相互係合する締結用具とを持つ個人的ケアー物品を下着に固定する方法であって、
前記衣類取り付け用粘着剤を保護している前記剥離ストリップが除去された状態で物品の上面のウイングを重ね、一時的に相互係合させ、
下着に前記物品を位置決めし前記衣類取り付け用粘着剤を使用して下着に該物品を固定し、
前記上面上のウイングの係合を解除し下着の周りに再係合させて、下着に前記物品を更にしっかりと固定すること、
を含むことを特徴とする方法。
【請求項１６】
下着の布に隣接したウイング上に配置された複数の係合部材を前記布に係合させる段階を更に含むことを特徴とする請求項１５に記載の方法。
【請求項１７】
少なくとも１つのウイング上の第一のファスナー部品が、少なくとも１つのウイング上の協働するファスナー部品と係合させられる段階を更に含むことを特徴とする請求項１５に記載の方法。
【請求項１８】
機械的フック材料をループ材料と相互係合させる段階を更に含むことを特徴とする請求項１５に記載の方法。
【請求項１９】
廃棄処分に便利な形態の物品を固定するために、選択的に解除可能な相互係合する締結用具を利用する段階を更に含むことを特徴とする請求項１５に記載の方法。
【発明の詳細な説明】
【技術分野】
【０００１】
本発明は、衣類その他の物品の締結システムに関する。更に特定すれば、本発明は、生理用ナプキン、失禁用パッド及び同様のもののような廃棄可能な個人的ケアー物品について使用できる、相互係合式機械的締結システムに関する。
【背景技術】
【０００２】
生理用ナプキン、失禁用パッド及び同様のもののような吸収性物品は、使用している間正しい位置に物品を保持するために下着に固定させられる。これらの物品はしばしば、下着に物品を固定させるために、物品の衣類に面している側にある衣類取り付け用粘着剤に加えて、ウイング又はフラップを使用する。ウイング又はフラップは典型的には、ウイング又はフラップの先端を下着に固定するために接着剤を使用する。
【０００３】
使用者は、吸収性物品を取り付け、あるいは使用するのに困難に遭遇することが多い。衣類取り付け用粘着剤、並びにウイング上の接着剤を覆っている剥離ストリップ又は剥離材料は、同時に使用者によって取り除かれるのが普通である。可撓性のウイングが衣類取り付け用粘着剤に接触すると、ウイングは「付着」する。代替的に、可撓性のウイング上の接着剤が、物品の一部に接触してウイングを固着させることがある。別の状況では、可撓性のウイング上の接着剤が互いに付着するか又は可撓性のウイング上の接着剤が衣類取り付け用粘着剤と接触することがある。これらの状況のいずれにおいても、物品を適用するときに着用者にとって克服すべき困難がもたらされる。
【発明の開示】
【発明が解決しようとする課題】
【０００４】
本発明は、例えば生理用ナプキン又は失禁用製品のような吸収性物品を下着に取り付けるシステム及び方法を提供することにより上述の問題に対処するものである。
【０００５】
本発明の方法によれば、締結システムが使用の容易さ又は適用の便利さを提供する。特に、衣類粘着剤を保護している剥離ストリップが除去される状態で物品のフラップ又はウイングが、生理用ナプキン又は失禁用物品の上面側又は身体側に一時的に機械的に相互係合させられる。
【０００６】
締結システムは、選択的に解除できる相互係合する締結用具を含み、１対のウイングを含み、このウイングが物品の上部シート側に一時的に機械的に係合させられ、次いで再構成されて物品（例えば生理用ナプキン）を下着に保持する。更に締結システムは、物品の衣類に面する側に衣類用接着剤（剥離ストリップに保護されている）を含む。本発明の一実施形態において、締結システムは、更に、下着の布に係合するにように構成された複数の係合部材を含むファスナー部品を含む。
【０００７】
望ましくは、締結システムは
（ａ）それぞれが固定端と自由端を持ち、物品（例えば生理用ナプキン）の第一の縦方向の縁から延びる第一のウイングと、物品（例えば生理用ナプキン）の第二の縦方向の縁から延びる第二のウイングと、
（ｂ）第一のウイングと第二のウイングの少なくとも一部を形成する第一のファスナー部品と、複数の係合部材を持つ係合部分を含む第一のファスナー部品と、
（ｃ）衣類接着剤を保護している剥離ストリップが除去された状態で、物品（例えば生理用品）の第一及び第二のウイングが物品（例えば生理用ナプキン）の上部シート側又は身体側に一時的に機械的に相互係合することが可能なように、第一のウイングと第二のウイングの少なくとも一部を形成する協働するファスナー部品と、
を含む。物品は、次いで下着の上に置かれ、そしてウイングが通常の手法で係合させられる。
【０００８】
本発明の一態様は、一対の端縁、これら端縁の間に位置する第一の縦方向線と第二の縦方向線、裏面シート層、実質的に液体透過性表面シート層、及び表面シート層と裏面シート層との間に配置された吸収体を持つ生理用ナプキンに向けられている。この生理用ナプキンは、更に、
（ａ）それぞれが固定端と自由端を持ち、生理用ナプキンの第一の縦方向縁から延びる第一のウイング及び生理用ナプキンの第二の縦方向縁から延びる第二のウイング、
（ｂ）第一のウイングと第二のウイングの少なくとも一部を形成するようにできる第一のファスナー部品と、複数の係合部材を持つ係合部分を含む第一のファスナー部品、
（ｃ）衣類接着剤を保護している剥離ストリップが除去された状態で、生理用品ナプキンの第一と第二のウイングを生理用ナプキンの上部シート側又は身体側に一時的に機械的に相互係合させることが可能なように、第一のウイングと第二のウイングの少なくとも一部を形成するように構成できる協働するファスナー部品、
を含む締結システムを組み込む。生理用ナプキンは、下着上に位置決めされ、次いで、通常の手法で係合させられる。
【０００９】
第一のファスナー部品は、係合部分が実質的に極大係合軸を持つように複数の実質的に非等方性の係合部材を有し、該第一のファスナー部品は、実質的な極大係合軸が概して取り付け方向に対して直交となるように方向付けされる。それぞれの実質的に非等方性の係合部材は、末端領域を有するステム部を持ち、それぞれ対応するステム部の末端領域に固定要素が配置される。
【００１０】
協働するファスナー部品は、例えば、織成、編成及び／又は不織ループ材料のようなループ材料とすることができる。更なる例として、不織ループ材料はパターン状非接着材料とすることができる。例えば、不織ループ材料は、米国特許第５，８５８，５１５号及び／又は第５，７６３，０４１号に記載されているもののようなパターン状非接着材料とすることができ、この特許は、引用によりここに組み入れられる。
【００１１】
本発明の一態様においては、締結システムは、廃棄処分に便利な形態の生理用ナプキン又は失禁用パッドを固定するために使用される。
【発明を実施するための最良の形態】
【００１２】
以下の本発明の詳細な説明及び図面により、本発明は更に十分に理解され、更なる利点が明らかになるであろう。
本発明の様々な態様及び実施形態が、生理用ナプキン又は廃棄可能な失禁用パッド又は同様なもののような廃棄可能な吸収性物品に関連して述べられる。典型的には、廃棄可能な物品は、限られた使用を意図するものであって、再び使用するために洗濯又は他の方法で清潔にすることは意図されていない。例えば、廃棄可能な生理用ナプキンは、着用者によって汚損された後、廃棄される。
【００１３】
図面を参照すると、図１Ａ−Ｅに示されている生理用ナプキン１０は、長い縦向きの方向２６、横向きの横断方向２４、及び縦に延びる中心軸線４０を持っている。物品は物品の第一の部分、物品の第二の部分及び少なくとも物品の第一の部分を物品の第二の部分に固定するための少なくとも１つの締結用具３６を含む。このような固定は、例えば着用者上に物品を保持するように構成することができる。締結用具は、望ましくは、物品の第一の（又は第二の）部分の指定された場所に取り付けられた第一のファスナー部品７０と物品の第二の（又は第一の）部分に取り付けられた協働するファスナー部品７２とを含む。第一のファスナー部品７０は、第一の複数の係合部材５６を持つ係合部を含む。それぞれの係合部材５６は、末端領域を備えるステム部を持ち、対応する末端領域に少なくとも１つの固定要素を持つ。複数の係合部材は、その固定要素の配置パターンを持っている。固定要素についてのそれぞれ違った配置パターンを有する多数の係合部材を使用することも考慮している。
【００１４】
本発明のもう１つの態様として、ファスナー部品が複数の非等方性係合部材を持つ係合部を含む物品を提供することができる。それぞれの非等方性係合部材は、末端領域を備えるステム部を持ち、非等方性係合開口部を提供するために対応するステム部の末端部において非等方的に配列された、方向依存性のある固定要素を持つことができる。複数の非等方性係合部材は、係合開口部に配列パターンを持っている。複数の非等方性係合部材が使用され、それらの係合開口部に異なる配列パターンを持つことができることも考慮している。
【００１５】
特別の形態において、複数の非等方性係合部材の多くは、取り付け方向に実質的に直交するように方向付けられた係合開口部を持つ。概して言えば、取り付け方向は、物品のそれぞれの第一と第二の部分が重なり合い相互係合する関係にされる方向である。すなわち、図１Ａ−Ｅにあるように、取り付け方向は、概して横向きの方向２４に沿って、及び物品の中心軸線４０に向って横断方向でベクトル成分を持つ方向である。従って、複数の非等方性係合部材は、実質的に物品の中心軸腺４０に平行な方向に係合開口部を持つであろう。
【００１６】
本発明の種々の態様において、個々の係合部材は、典型的には可撓性があり弾性があるが、実質的に通常の使用においては当初の形を保持する。通常の使用の間に撓んだり変形した時には、係合部材は実質的に変形を維持するような塑性変形を避け、むしろ、実質的に元の方向と形に戻る、すなわち「スプリング・バック」することになる。
【００１７】
図１Ａ−１Ｅは、ウイング又はフラップの形態の締結用具３６を備えた例示的な生理用品の図である。少なくとも１つの第一のファスナー部品７２がウイング３６に取り付けられ、少なくとも１つの協働するファスナー部品７２が反対側のウイング３６に取り付けられている。本発明のいくつかの実施形態においては、第一のファスナー部品７０と協働するファスナー部品７２は、ウイングを特定の順序で重ねるように留意する必要なくウイングが固定されるように、それぞれのウイングに取り付けられている。他の実施形態においては、ウイングは協働するファスナー部品７２の一部分又は全体を形成する。図１Ｃは、下着又はパンティー「Ｐ」の周りに固定されたウイング３６又はフラップを備える生理用品を示す。Ａと書かれた矢印は概して取り付け方向を示している。Ｏと書かれた矢印は取り付け方向に直交する方向を示している。この直交する方向は、概してあるいは実質的に物品に沿う方向、或いは物品の平面内の方向であると考えられ、特殊な場合ではあるが少数のＺ−方向の構成要素を含むことを理解しておくべきである。
【００１８】
本発明によれば、第一のファスナー部品は極大係合軸を持つように形成されるべきである。このことは、等方性でない（すなわち非等方性）又は左右対称でない、複数の係合部材５６を利用することで達成される。第一のファスナー部品の極大係合軸がほぼ取り付け方向（すなわち、重なり係合のためにそれぞれのファスナー部品が一般的に置かれる方向）に直交する方向に向けられるとき、製品が着用される際に締結システムが一層深く相互係合されることが予期せず見出された。例えば、物品を着用する前に行われる標準テストを利用して求められた剥離力と剪断力は、第一のファスナー部品の極大係合軸が取り付け方向に向けられる締結システムの方が大きく、第一のファスナー部品の極大係合軸が取り付け方向に直交するように向けられた締結システムの方が小さい。
【００１９】
剥離力及び剪断力を使用後に計測したとき、数値は両方向とも増加した。しかしながら、第一のファスナー部品の極大係合軸が取り付け方向に直交するように向けられている締結システムを測定した剥離力と剪断力の数値は、第一のファスナー部品の極大係合軸が取り付け方向に向けられている締結システムを測定したものより大きかった。
【００２０】
以下は、図１Ａ、１Ｄ及び１Ｄ’に示された縦向きの長さ方向２６と横向きの横断方向についての配列方向の簡単な説明である。例示的生理用ナプキンにおいて、第一のファスナー部品の極大係合軸を取り付け方向に向けるということは、極大係合軸が、図１Ａ、１Ｄ及び１Ｄ’に示すクロス機械方向すなわち横向きの横断方向にあるように第一のファスナー部品を方向付けることを意味するものであった。従って、この生理用ナプキンについては、取り付け方向に対してほぼ直交する第一のファスナー部品の極大係合軸の方向付けは、図１Ａ、１Ｄ及び１Ｄ’に示す極大係合軸が機械方向又は縦向きの長さ方向２６にあるように第一のファスナー部品を方向付けることを意味するものでった。
【００２１】
本発明の別の態様においては、締結システムはまた、使いやすさ又は適用の便利さを提供する。図５Ａ−Ｃに示すように、ウイング又は締結用具３６は、衣類用粘着剤（示していない）を保護する剥離ストリップ「ＰＳ」が除去される時、生理用ナプキン又は失禁用物品のトップシート側「Ｔ」又は身体側に係合される。次いで、物品は下着「Ｐ」上の所定位置に置かれ、次にウイングが係合される。
【００２２】
本発明はまた、生理用ナプキン又は失禁用パッドを下着に保持、固定、取り付け、又は結合するように下着の布を係合するのに適した複数の係合部材を含むファスナー部品、並びに、生理用ナプキン又は失禁用パッドを下着に保持し、固定し、取り付け、又は結合するのに適したウイングを持つ取り付けシステムを備える生理用ナプキン又は失禁用パッドを含む。特に、図５Ａは、協働するファスナー部品７２から形成することができる締結用具又はウイング３６が、第一のファスナー部品７０と接触して係合されるシステムを示している。物品１０のバックシート側すなわち衣類側にある衣類用粘着剤（示していない）のストリップは、物品を下着「Ｐ」に固定するのを助けることができる。加えて、第一のファスナー部品７０が下着「Ｐ」の布に係合することができる位置にある間に、締結用具又はウイング３６が下着の周りを包むことによって物品を下着「Ｐ」に固定又は連結する。
【００２３】
図１Ａ−Ｅに示されている代表的な形態に関して、物品はフラップ領域、ウイング、耳領域又は耳部材のシステムを含むことができる。特定の配列においては、各々のフラップ、ウイング又は耳領域あるいは部材は、失禁用パッド又は生理用品のような物品の両側の横方向端において、横向きに延びることになる。
【００２４】
本発明の様々な形態においては、耳、タブ、フラップ又はウイングの領域は、物品の選択された部品と一体に形成される。例えば、耳、タブ、フラップ又はウイングの領域は、バックシート層を構成する材料の層と一体に形成され、及び／又は、トップシートを構成するために使われる材料と一体に形成される。代替的な形態として、耳、タブ、フラップ又はウイング領域は、別に構成された部材として形成し、この部材をバックシート、トップシート、トップシートとバックシートの間、又はこれらの組立体の様々に固定取り付けした組み合わせの中に結合又は組み立てることができる。
【００２５】
本発明の特別な形態として、それぞれの耳、タブ、フラップ又はウイング領域は、別に構成された材料片から形成し、この材料片を物品の選択された部分に組み付けて取り付けることができる。
【００２６】
耳、タブ、フラップ、又はウイングの領域は、ポリマーフィルム、織布、不織布その他同様なもの、並びにその組み合わせのような、実質的に非エラストマー性の材料により作られる。本発明の特定の態様として、耳、タブ、フラップ又はウイングの領域は、ストレッチ・ボンデッド・ラミネート（ＳＢＬ）材料、ネック・ボンデッド・ラミネート（ＮＢＬ）材料、エラストマーフィルム、エラストマーフォーム材料、又は同様の物のような、少なくとも横向きの方向２４に沿ってエラストマー的に伸長可能な実質的にエラストマー性材料によって構成することができる。例えば、耳、タブ、フラップ、ウイングの領域を形成するために適当なメルトブローン・エラストマー性繊維ウエブは、１９８７年５月５日付で付与されたＴ．Ｗｉｓｎｅｓｋｉ他の米国特許第４，６６３，２２０号に記載されており、この全ては引用によりここに組み入れられる。布の弾性層を固定するため不織繊維の少なくとも１つの層を含む複合布の例は、１９８７年４月８日付で付与された欧州特許ＥＰ０  ２１７  ０３２Ａ２に記載されており、これは、Ｊ．Ｔａｙｌｏｒ他が発明者としてリストされており、この全ては引用によりここに組み入れられる。ＮＢＬ材料の例は、１９９３年７月１３日付で付与されたＭｏｒｍｏｎ他の米国特許第５，２２６，９９２号に記載されており、この全ては一貫性のある形で引用によりここに組み入れられる。
【００２７】
前述したように、種々の適当な構造を、耳、タブ、フラップ又はウイング領域を物品の適切な部分に取り付けるために使用されることができる。弾性的に伸長できる一対の部材を、物品の横方向側部に物品の外側カバーとライナー部品の横方向両側領域を超えて、横方向外向きに延びるように固定するのに適した構造の特定例が、１９９０年７月３日付で付与されたＰ．ＶａｎＧｏｍｐｅｌ他の米国特許第４，９３８，７５３号に記載されており、この全ては引用によりここに組み入れられる。
【００２８】
図示する耳、タブ、フラップ又はウイングの領域は、先細、湾曲その他の形状であり、比較的内側のベース領域の縦方向長さが比較的外側の端領域の縦方向長さより大きいか、又は小さい。代替的には、耳領域は実質的に方形の形とすることができ、任意には実質的に台形の形とすることができる。
【００２９】
本発明の様々な態様及び形態においては、選択された第一のファスナー部品と選択された協働するファスナー部品との間の締結メカニズムは、接着剤、凝集剤、機械的なもの又はそれらの組み合わせとすることができる。本発明の関係において、機械的締結システムは、要求された固定を提供するために機械的に相互係合する、第一のファスナー部品と協働するファスナー部品を含むシステムである。
【００３０】
望ましくは、第一のファスナー部品と協働するファスナー部品は、協働して相互係合する機械的締結システムの相補的な要素を含む。機械的なファスナー部品は、フック、バックル、スナップ、ボタン、及び同様なもののような機械タイプの締結用具により構成することができ、それらは、協働及び相補的に機械的な連結をする部品を含むものである。
【００３１】
図示した配列に示されるように、例えば、機械的締結システムは、フック・ループ型の締結システムとすることができる。このような締結システムは、典型的には、「フック」又はフック状の雄部品の形を持つ係合要素と、協働する「ループ」又はループ状の雌部品と、を含み、この雌部品がフック部品に係合して、取り外し可能に相互連結する。望ましくは、この相互結合は、選択的に解除可能で再結合することができるものである。通常のシステムは、例えば、ＶＥＬＣＯの商標のもとで入手できる。フック要素は、単一プロング型フック形状、複プロング型フック形状として構成することができ、又はマッシュルーム・ヘッドタイプのフック要素として構成されるような、全体的に連続する拡大ヘッド形状タイプのフック要素として構成することができる。ループ要素は、織布、不織布、編布、穿孔され或いは小孔のある層及び同様な物、並びにそれらの組み合わせから構成できる。このような締結システムの多くの組み合わせ及び変形は、総合的にフック・ループ締結用具と呼ばれている。
【００３２】
選択的に取り外し可能で相互係合する機械的締結システムを使用する形態は、例えば、タブ、フラップ、又はウイング３６の少なくとも指定された結合又は固定用表面に第一のファスナー部品を配置し、更に、指定されたタブ、フラップ、又はウイング３６の指定された結合又は固定表面に、協働するファスナー部品を配置するものとすることができる。例えば、フック・ループ締結用具に代表して示されるように、締結タブ３６の指定された結合又は固定表面に取り付けられた締結用部品は、フックタイプの機械的係合を含むことができ、要素相補的な締結用部品は、締結タブ３６の指定された表面に作動的に連結して接着することができ、ループタイプの締結要素を含むことができる。
【００３３】
本発明の様々な形態において、第一の締結用部品とその協働する相補的な締結用部品の相対的な位置及び／又は材料が流動的であることは明らかである。
【００３４】
フック・ループ締結システム及び部品の例は、１９９１年５月２８日付で付与されたＴ．Ｒｏｅｓｓｌｅｒ他の米国特許第５，０１９，０７３号に記載されており、これら特許の全体は、一貫性のある形で引用によりここに組み入れられる。フック・ループ締結システムの他の例は、米国特許第５，６０５，７３５号に対する、１９９４年１２月２８日付でＧ．Ｚｅｈｎｅｒ他により出願されたＨＩＧＨ−ＰＥＥＬ  ＴＡＢ  ＦＡＳＴＥNＥＲという名称の米国特許出願番号第３６６，０８０号（ａｔｔｏｒｎｅｙ  ｄｏｃｋｔ第１１，５７１号）及び１９９５年４月１３日付でＰ．ＶａｎＧｏｍｐｅｌ他により出願されたＭＵＬＴＩ−ＡＴＴＡＣＨＭＥＮＴ  ＦＡＳＴＥＮＩＮＧ  ＳＹＳＴＥＭという名称の米国特許出願番号第４２１，６４０号に記載されており、これらの全体は、一貫性のある形で引用によりここに組み入れられる。運搬層に形成された締結用タブの例は、１９９７年４月２９日付で付与された米国特許第５，６２４，４２９号に対応する１９９６年３月６日付でＭＥＣＨＡＮＩＣＡＬ  ＦＡＳＴＥＮＩＮＧ  ＳＹＳＴＥＭ  ＷＩＴＨ  ＧＲＩＰ  ＴＡＢという名称のＡ．Ｌｏｎｇ他による米国特許出願番号第０８／６０３，４７７号（ａｔｔｏｒｎｅｙ  ｄｏｃｋｅｔ第１２，５６３号）に記載されており、これらの全体は、一貫性のある形で引用によりここに組み入れられる。
【００３５】
ミクロ・フックに適した材料の例は、ＶＥＬＣＲＯ８２９８２９  ＨＴＨ  及びＶＥＬＨＴＨ  ８５１の名称で配布され、ニューハンプシャー州マンチェスターに住所を置くＶＥＬＣＲＯ  Ｕ．Ｓ．Ａ．，Ｉｎｃ．より入手できる。ミクロ・フック材料は、折り曲げたフック要素の形をしたフックを持つものとすることができ、フックの密度が平方センチメートル当り約２６４フック （約１７００フック／平方インチ）で、フックの高さが約０．０３０から０．０６３ｃｍ（約０．０１２から０．０２５インチ）の範囲、フックの幅が約０．００７から０．０２２ｃｍ（約０．００３から０．００９インチ)の範囲に作られる。フック要素は、厚さが約０．００７６から０．００８ｃｍ（約０．００３から０．００３５インチ）を持つベース層の基体に形作られ、フック材料の部材は約１２ｍｇｆ（約１２ガーリー単位）のガーリー剛性を持つ。他の適当なフック材料には、ＶＥＬＣＲＯ  ＨＴＨ  ８５８、ＶＥＬＣＲＯ  ＨＴＨ  ８５１、及びＶＥＬＣＲＯ  ＨＴＨ  ８６３のフック材料がある。
【００３６】
本発明の目的のためには、様々な剛性の数値は、試験される構成要素の長さ及び幅によって実質的に定められる水平面に対して垂直に向けられる力により生じる曲げモーメントに対して求められる。剛性数値を測定するのに適した技術は、ガーリー剛性テストに記載されており、これは、ＴＡＰＰＩ  スタンダードテスト  ５４３  ｏｍ−９４（紙の曲げ抵抗（ガーリータイプテスター））に示されている。適した試験装置は、ニューヨーク州、トロイ所在のＴｅｌｅｄｙｎｅ  Ｇｕｒｌｅｙにより製造された、ガーリーデジタルスティフネステスター・モデル４１７１−Ｄである。本説明の目的として、記述したガーリー剛性の数値は、「標準」サイズの試料片により生成されるであろう数値に対応するものである。従って、ガーリー剛性テスターの読みは、標準サイズの試料片の剛性に適当に変換され、力単位のミリグラム（ｍｇｆ）により報告される。現在のところ、標準の「ガーリー単位」は、剛性数値１ｍｇｆと等しく、ガーリー剛性の報告に等しく使用されている。
【００３７】
本発明の様々な態様と形態において、ループ材料は、不織布、織成又は編成の布を含む。例えば、適したループ材料の布は、ノースカローライナ州グリーンズボロにある＃３４２８５の商標で、Ｇｕｉｌｆｏｒｄ  Ｍｉｌｌｓ，Ｉｎｃ．より入手できるタイプの、２バー型縦編み布、及び同様のタイプの編み布とすることができる。適したループ材料は、３Ｍカンパニーより同様に入手でき、これはＳＣＯＴＣＨＭＡＴＥのブランドでナイロン織成ループを提供している。この３Ｍカンパニーはまた、ウエブの裏側に接着剤を施した裏のないループウエブ及び、３編みループテープを提供している。
【００３８】
ループ材料は、複数の区分された非接着領域を定める連続的に接着された領域を有する不織布を含む。布の区分された非接着領域の中の繊維又はフィラメントは、各々の非接着領域を囲む又は包囲する連続的に接着された領域により、寸法的に安定し、フィルム又は接着剤に対する支持又は裏打ち層は必要ではない。非接着領域は、該非接着領域内の繊維又はフィラメント間にスペースを与え、相補的なフック材料のフック要素を受けて係合するのに十分なように、実質的に開き又は大きいままにするように特に設計されている。特に、パターン状接着されていない不織布又はウエブは、単一部品又は複数部品のメルトスパンフィラメントから作られるスパンボンド不織布を含む。不織布の少なくとも１つの表面は、連続的に接着された領域に包囲され又は囲まれた、複数の非接着領域を含むことができる。連続的に接着された領域は、一方で非接着領域にある繊維又はフィラメントを接着又は融合から実質的に開放しておきながら、非接着領域から接着領域へ外向きに広がる繊維又はフィラメントの一部を、互いに接着又は融合することにより、不織布を作る繊維又はフィラメントを寸法的に安定させる。接着領域内の接着又は融合の程度は、望ましくは、非接着領域で繊維又はフィラメントを、受けて係合するための「ループ」として働かせながら、接着領域の中で不織布を非繊維質とするのに十分な程度である。点状に接着されていない布の適当な例として、１９９６年１２月１７日付で出願されたＴ．Ｊ．Ｓｔｏｋｅｓ他によるＰＡＴＴＥＲＮーＵＮＢＯＮＤＥＤ  ＮＯＮＷＯＶＥＮ  ＷＥＢ  ＡＮＤ  ＰＲＯＣＥＳＳ  ＦＯＲ  ＭＡＫＩＮＧ  ＴＨＥ  ＳＡＭＥという名称の米国特許出願番号第７５４，４１９号（ａｔｔｏｒｎｅｙ  ｄｏｃｋｅｔ第１２，２３２号）に記載されており、この全ては、一貫性のある形で引用によりここに組み入れられる。
【００３９】
本発明の様々な形態において、ループ材料は、物品の外面上に設けられる区分された又は分離されたパッチに限られる必要はない。代わりに、ループ材料は、所望の物品の所定の表面に広がるように組み込まれ、一体化され、又はその他の形で結合された、実質的に連続した外側繊維層により構成することができる。例えば、外側繊維層は、物品により使用される布様の外側カバーの実質的に全体に広がった表面を覆うようにすることができる。
【００４０】
本発明の様々な形態において、選択された第一のファスナー部品と指定され協働するファスナー部品との間の係合力は、使用している間、着用者に物品の十分な固定を提供するのに十分な大きさと耐久性を持つべきである。特別な場合として、特に締結システムにより供給された係合剪断力が、十分に高いレベルの場合、締結係合は、第一、及びその協働ファスナー部品の間の係合の「幅」の１インチ当たり最低約４０グラム・フォース（ｇｍｆ）以上の剥離力の数値を提供する。更なる配置においては、締結係合は、改良した結果を得るために、約１００ｇｍｆ／インチ以上の剥離力の数値を提供する。望ましい形態として、締結係合は、第一、及びその協働するファスナー部品の間の係合の「幅」の１インチ当たり約２００ｇｍｆ以上の剥離力の数値を提供する。代替的に、剥離力は、更なる改良した結果を得る為には、約３００ｇｍｆ／インチ以上、及び場合によっては約４００ｇｍｆ／インチ以上である。別の態様として、剥離力は約１２００ｇｍｆ／インチより大きくない。代替的に、剥離力は、改良した結果を得る為には、約８００ｇｍｆ／インチより大きくなく、場合によっては約６００ｇｍｆ／インチより大きくない。
【００４１】
選択された第一のファスナー部品と指定され協働するファスナー部品の間の係合力は、第一、及びその協働するファスナー部品との間の係合面に約４００ｍｇｆ平方インチ以上の剪断力の数値を更に提供する。代替的に、剪断力は、約１，０００ｇｍｆ／ｉｎ以上で、場合によっては約１，７００ｇｍｆ／ｉｎ以上である。更なる態様として、剪断力は、約４，４００ｇｍｆ／ｉｎ又はそれ以上とすることができる。代替的に、剪断力は、約３，９００ｇｍｆ／ｉｎより大きくなく、改良した結果を得る為には、場合によっては、約３，５００ｇｍｆ／ｉｎより大きくない。
【００４２】
剥離力の数値は、１９９１年９月に承認され、１９９１年１１月に発行された以下の事項を含む、ＡＳＴＭ  Ｄ−５１７０の標準的方法に従って求められる。テスト試料片は、評価された物品のファスナータブである。テスト試料片の長さは、締結用具が使用されている物品の通常使用の間に、剥離力が、典型的に締結用具を係合解除し又取り外すように作用する方向に沿った大きさである。試料片の「幅」は、概して締結用具の平面内にあり、試料片の長さに垂直な方向である。ローラ装置は４．５ポンドの重量があり、周囲をゴムでコーティングしたローラを含む。ローラは、オハイオ州、メントルに事業所をもつケムサルタンツ・インターナショナルより入手できる部品番号ＨＲ−１００が適している。ファスナー部品を係合させる際にいは、ローラは、試料片の横断「幅」方向に１周期分だけテスト試料片上で回転される。加えて、手による「ループを持ち上げる」という最初の剥離は省略される。テストの間、固定クランプにより保持されるファスナー材料は、可動クランプに保持されるファスナー材料と比較して、その面積を大きくすることができる。張力テスターのクランプ間の最初の距離は４インチで、張力テスターの引張速度は毎秒２０インチである。剥離テストの報告された数値は、ピーク基準２％のソフトウエアーを持つＭＴＳ  ＴＥＳＴＷＯＲＫＳを使用した「３つのピーク値平均」の数値である。加えて、剥離力の数値は、テスト試料片のファスナー部品の「幅」方向の単位長さ当りの力という表現で、インチ単位のグラムのように、表されるように正規化される。ＭＴＳ  ＴＥＳＴＷＯＲＫのソフトウエアーは、ミネソタ州、イーデン  プレーリーに事業所をもつＭＴＳ  システム  コーポレーションより入手できる。
【００４３】
剪断力の数値は、１９９１年９月１５日に承認され、１９９１年１１月に発行された以下の事項を含む、ＡＳＴＭ  Ｄ−５１６９の標準的方法に従って求められる。テスト試料片は、評価されようとする物品からとられたファスナータブから構成される。テスト試料片の長さと幅は、剥離力の数値を測定するために使用された長さと幅に典型的に対応する。通常、テスト試料片の長さは、締結用具が使用されている物品の通常使用の間に、剪断力が典型的に締結用具に適用される方向に沿った大きさである。試料片の「幅」は、締結用具の通常の平面に置かれ、試料片の長さに垂直である。ローラ装置は４．５ポンドの重量があり、周囲をゴムでコーティングしたローラを含む。ローラは、オハイオ州、メントルに事業所をもつケムサルタンツ・インターナショナルより入手できる部品番号ＨＲ−１００が適している。ファスナー部品を係合させる際に、ローラは、試料片の横断「幅」方向に５周期だけテスト試料片上で回転させられる。加えて、手による「ループを持ち上げる」という最初の剥離は省略される。テストの間、固定クランプにより保持されたファスナー材料（例えばループ材料）は、可動クランプに保持されたファスナー材料（例えばフック材料）と比較して、面積を大きくすることができる。張力テスターのクランプ間の最初の距離は４インチで、張力テスターの引張速度は毎秒１０インチである。剪断力の数値は、テスト試料片の面積当りの力という表現で、平方インチ単位のグラムで表されるように正規化される。
【００４４】
標準テストを行うことの特色は、消費者の使用状態により近い試料片となるような締結状態を生み出すことを意図するものである。本発明のそれぞれ示された形態の協働する剥離力および／又は剪断力の数値を求めるために、テスト試料片材料（例えばフック及びループ材料）を準備するとき、選択された試料片材料の幅方向は、実際の物品では、物品の縦方向２６に沿って見られるファスナー材料の方向に一致することに注目すべきである。同様に、選択された試料片の材料の長さ方向は、実際の物品では、物品の横方向２４に沿って見られるファスナー材料の方向に一致する。
【００４５】
望ましくは、第一のファスナー部品と協働するファスナー部品の間の固定された係合は、張力が、物品のバックシート層の平面に通常平行に位置する横向きの方向に沿って外向きに適用され、少なくとも約１，０００グラムの張力に達したときに、部品の係合離脱を防止するのに十分であるべきである。
【００４６】
本発明の様々な構造におけるファスナー部品及び締結要素の各々は、本発明の物品の他の部品を構成し互いに保持するために使用される、１つ又はそれ以上の取付機構を使用することで、支持基体に作動的に取り付けることができる。様々な締結領域における締結要素は、型成形、共押し出し又は同様なものによって、関連する基体層と共に一体に形成することができる。基体層とそれに関連する機械的締結要素は、実質的に同じポリマー材料で作られ、締結要素を元来離れていた基体層に接着する別個のステップは必要ではない。例えば、個々のフック要素は、実質的に同じポリマー材料から、ベース層とフック要素を共押し出しすることにより、フックのベース層と一体に形成することができる。
【００４７】
基体層とこれに取り付けられた締結部品との間の取り付けその他の相互連結の強さは、ファスナータブ３６を物品の指定取り付け部材に対する取り外し可能な固定から外すのに必要なピーク力より大きくなければならないということは、容易に認識できるであろう。
【００４８】
かなり詳細に本発明について説明したが、様々な変更及び改良が、本発明の精神から離れることなく成され得ることは容易に明らかとなるであろう。
【図面の簡単な説明】
【００４９】
【図１Ａ】本発明の例示的締結システムと協働する例示的物品の図である。
【図１Ｂ】本発明の例示的締結システムと協働する例示的物品の図である。
【図１Ｃ】下着と供に使用するときの本発明の例示的締結システムと協働する例示的物品の図である。
【図１Ｄ】物品のバックシートが上向きに示される本発明の例示的締結システムと協働する例示的物品の図である。
【図１Ｄ−１】物品のバックシートが上向きに示される本発明の例示的締結システムと協働する例示的物品の図である（図１Ｄ’）。
【図１Ｅ】物品のバックシートが上向きに示される本発明の例示的締結システムと協働する例示的物品の一部の図である。
【図２Ａ】本発明に使用される、例示的な非等方性の係合部材の顕微鏡写真である。
【図２Ｂ】本発明に使用される、例示的な非等方性の係合部材の顕微鏡写真である。
【図３】本発明で使用された、例示的な協働するファスナー部材（例えばループ材料）の顕微鏡写真である。
【図４】本発明で使用された、例示的な協働するファスナー部材（例えばループ材料）の顕微鏡写真である。
【図５Ａ】本発明の締結システムを使用する物品を提供するときの本発明の例示的方法の順序を示す図である。
【図５Ｂ】本発明の締結システムを使用する物品を提供するときの本発明の例示的方法の順序を示す図である。
【図５Ｃ】本発明の締結システムを使用する物品を提供するときの本発明の例示的方法の順序を示す図である。
【符号の説明】
【００５０】
１０  生理用ナプキン
２４  横向き横断方向
２６  縦方向
３６  締結用具又はウイング
４０  中心軸
５６  係合部材
７０  ファスナー部品
７２  協働するファスナー部品
【図３】
2005500106.tif 000003
【図４】
2005500106.tif 000004
【国際公開パンフレット】
2005500106.tif 000005
2005500106.tif 000006
2005500106.tif 000007
2005500106.tif 000008
2005500106.tif 000009
2005500106.tif 000010
2005500106.tif 000011
2005500106.tif 000012
2005500106.tif 000013
2005500106.tif 000014
2005500106.tif 000015
2005500106.tif 000016
2005500106.tif 000017
2005500106.tif 000018
2005500106.tif 000019
2005500106.tif 000020
2005500106.tif 000021
2005500106.tif 000022
2005500106.tif 000023
2005500106.tif 000024
2005500106.tif 000025
2005500106.tif 000026
2005500106.tif 000027
2005500106.tif 000028
2005500106.tif 000029
2005500106.tif 000030
【国際調査報告】
2005500106.tif 000031
2005500106.tif 000032
2005500106.tif 000033
2005500106.tif 000034